(57)【要約】【課題】適切に起動させつつ、起動時の入力電流を低減する。【解決手段】電源装置は、入力が共通化された複数の電源部と、複数の電源部のそれぞれに割り当てられた識別情報と、起動時刻が分散するように設定された遅延時間と、を対応付けた遅延テーブル情報に基づいて、識別情報が割り当てられた電源部に対して、当該識別情報に対応する遅延時間により遅延させて起動を開始させる起動制御部とを備える。【選択図】図１
2019075931.tif 000002
【特許請求の範囲】
【請求項１】
入力が共通化された複数の電源部と、
前記複数の電源部のそれぞれに割り当てられた識別情報と、起動時刻が分散するように設定された遅延時間と、を対応付けた遅延テーブル情報に基づいて、前記識別情報が割り当てられた前記電源部に対して、当該識別情報に対応する前記遅延時間により遅延させて起動を開始させる起動制御部と
を備えることを特徴とする電源装置。
【請求項２】
前記複数の電源部のそれぞれは、前記起動制御部を備え、
前記起動制御部は、前記遅延テーブル情報に基づいて、前記起動制御部を備える前記電源部に割り当てられた前記識別情報に対応する前記遅延時間により遅延させて起動を開始させる
ことを特徴とする請求項１に記載の電源装置。
【請求項３】
前記電源部が接続される複数の接続部を備え、
前記複数の電源部のそれぞれは、前記接続部に着脱可能に構成されており、
前記複数の接続部のそれぞれには、アドレス情報が割り当てられており、
前記接続部は、前記電源部が接続された場合に、当該接続部に割り当てられている前記アドレス情報を示す電気信号を、前記識別情報として前記電源部に供給する
ことを特徴とする請求項２に記載の電源装置。
【請求項４】
前記接続部は、前記アドレス情報を設定し、当該アドレス情報を示す電気信号を供給するアドレス設定部を備える
ことを特徴とする請求項３に記載の電源装置。
【請求項５】
前記複数の電源部に対して１つの前記起動制御部を備え、
前記起動制御部は、前記遅延テーブル情報に基づいて、前記複数の電源部に対して順次起動を開始させる
ことを特徴とする請求項１に記載の電源装置。
【請求項６】
前記電源部は、
入力された直流電圧を昇圧する昇圧部と、
前記昇圧部が昇圧した昇圧電圧と、前記直流電圧とのいずれかを所定の出力電圧に変換する変換部と
を備え、
前記起動制御部は、前記遅延テーブル情報に基づいて、前記識別情報が割り当てられた前記電源部が備える前記昇圧部を起動する
ことを特徴とする請求項１から請求項５のいずれか一項に記載の電源装置。
【発明の詳細な説明】
【技術分野】
【０００１】
本発明は、電源装置に関する。
【背景技術】
【０００２】
近年、複数の電源部を備え、各電源部の出力を並列に動作させる電源装置が知られている。このような電源装置では、電源部を並列に動作させる台数に比例して起動電流（入力電流）が大きくなるため、例えば、入力電力線のインピーダンスが大きい場合に、入力電圧が低下することがある。このような入力電圧の低下を低減するために、従来の電源装置では、例えば、第１順位の電源部の定電流動作を検知して、第２順位の電源部を起動させるように順次段階的に各電源部を起動させることを行っていた（例えば、特許文献１を参照）。
【先行技術文献】
【特許文献】
【０００３】
【特許文献１】特開２００６−３４０４７号公報
【発明の概要】
【発明が解決しようとする課題】
【０００４】
しかしながら、上述した従来の電源装置では、１つの順位の電源部を起動した後に、次の順位の電源部を起動するため、例えば、起動できない電源部がある場合に、電源装置が起動できない、又は電源部の起動に時間がかかる場合に、電源装置の起動に時間が掛かるなど、適切に起動できないことがあった。このように、従来の電源装置では、適切に起動させつつ、起動時の入力電流を低減することができない場合があった。
【０００５】
本発明は、上記問題を解決すべくなされたもので、その目的は、適切に起動させつつ、起動時の入力電流を低減することができる電源装置を提供することにある。
【課題を解決するための手段】
【０００６】
上記問題を解決するために、本発明の一態様は、入力が共通化された複数の電源部と、前記複数の電源部のそれぞれに割り当てられた識別情報と、起動時刻が分散するように設定された遅延時間と、を対応付けた遅延テーブル情報に基づいて、前記識別情報が割り当てられた前記電源部に対して、当該識別情報に対応する前記遅延時間により遅延させて起動を開始させる起動制御部とを備えることを特徴とする電源装置である。
【０００７】
また、本発明の一態様は、上記の電源装置において、前記複数の電源部のそれぞれは、前記起動制御部を備え、前記起動制御部は、前記遅延テーブル情報に基づいて、前記起動制御部を備える前記電源部に割り当てられた前記識別情報に対応する前記遅延時間により遅延させて起動を開始させることを特徴とする。
【０００８】
また、本発明の一態様は、上記の電源装置において、前記電源部が接続される複数の接続部を備え、前記複数の電源部のそれぞれは、前記接続部に着脱可能に構成されており、前記複数の接続部のそれぞれには、アドレス情報が割り当てられており、前記接続部は、前記電源部が接続された場合に、当該接続部に割り当てられている前記アドレス情報を示す電気信号を、前記識別情報として前記電源部に供給することを特徴とする。
【０００９】
また、本発明の一態様は、上記の電源装置において、前記接続部は、前記アドレス情報を設定し、当該アドレス情報を示す電気信号を供給するアドレス設定部を備えることを特徴とする。
【００１０】
また、本発明の一態様は、上記の電源装置において、前記複数の電源部に対して１つの前記起動制御部を備え、前記起動制御部は、前記遅延テーブル情報に基づいて、前記複数の電源部に対して順次起動を開始させることを特徴とする。
【００１１】
また、本発明の一態様は、上記の電源装置において、前記電源部は、入力された直流電圧を昇圧する昇圧部と、前記昇圧部が昇圧した昇圧電圧と、前記直流電圧とのいずれかを所定の出力電圧に変換する変換部とを備え、前記起動制御部は、前記遅延テーブル情報に基づいて、前記識別情報が割り当てられた前記電源部が備える前記昇圧部を起動することを特徴とする。
【発明の効果】
【００１２】
本発明によれば、起動制御部が、複数の電源部のそれぞれに割り当てられた識別情報と、起動時刻が分散するように設定された遅延時間とを対応付けた遅延テーブル情報に基づいて、識別情報が割り当てられた電源部に対して、当該識別情報に対応する遅延時間により、順次起動を開始させる。これにより、電源装置は、例えば、電源装置が起動できない、又は電源装置の起動に時間が掛かることなく、起動時の入力電流を低減することができる。よって、電源装置は、適切に起動させつつ、起動時の入力電流を低減することができる。
【図面の簡単な説明】
【００１３】
【図１】第１の実施形態による電源装置の一例を示す機能ブロック図である。
【図２】第１の実施形態による遅延テーブル情報の一例を示す図である。
【図３】第１の実施形態による電源装置の動作の一例を示すフローチャートである。
【図４】第１の実施形態による電源装置の動作及び効果を説明する図である。
【図５】第２の実施形態による電源装置の一例を示す機能ブロック図である。
【図６】第２の実施形態による電源装置の動作の一例を示すフローチャートである。
【図７】第３の実施形態による電源装置の一例を示す機能ブロック図である。
【図８】第３の実施形態における昇圧部の構成例を示す図である。
【図９】第３の実施形態による電源装置の動作の一例を示すフローチャートである。
【図１０】第３の実施形態による電源装置の動作及び効果を説明する図である。
【発明を実施するための形態】
【００１４】
以下、本発明の実施形態による電源装置について図面を参照して説明する。
【００１５】
［第１の実施形態］
図１は、第１の実施形態による電源装置１の一例を示す機能ブロック図である。
図１に示すように、電源装置１は、複数の接続コネクタ（１０−１、１０−２、・・・）と、複数の電源部（１００−１、１００−２、・・・）とを備えている。電源装置１は、直流電源２から供給される入力電圧Ｖｉｎを変換した出力電圧Ｖｏｕｔを出力する。
【００１６】
なお、接続コネクタ１０−１、接続コネクタ１０−２、・・・は、同一の構成であり、電源装置１が備える任意の接続コネクタを示す場合、又は特に区別しない場合には、接続コネクタ１０として説明する。
また、電源部１００−１、電源部１００−２、・・・は、同一の構成であり、電源装置１が備える任意の電源部を示す場合、又は特に区別しない場合には、電源部１００として説明する。
【００１７】
接続コネクタ１０（接続部の一例）は、例えば、電源部１００の基板を装着するスロットに備えられたコネクタであり、電源部１００が接続される。接続コネクタ１０は、接続された電源部１００に、直流電源２から供給された入力電圧Ｖｉｎを供給する。また、接続コネクタ１０は、例えば、スロットごとにユニークなアドレス情報（識別情報の一例）が定められており、当該接続コネクタ１０に接続された電源部１００に、当該アドレス情報を供給する。すなわち、接続コネクタ１０には、アドレス情報が割り当てられており、接続コネクタ１０は、電源部１００が接続された場合に、当該接続コネクタ１０に割り当てられているアドレス情報を示す電気信号を、識別情報として電源部１００に供給する。
【００１８】
また、複数の接続コネクタ１０のそれぞれには、異なるアドレス情報が設定されているアドレス設定部（２０−１、２０−２、・・・）のいずれかを備えている。例えば、接続コネクタ１０−１は、アドレス設定部２０−１を備え、接続コネクタ１０−２は、アドレス設定部２０−２を備えている。
【００１９】
なお、アドレス設定部２０−１、アドレス設定部２０−２、・・・は、電源装置１が備える任意のアドレス設定部を示す場合、又は特に区別しない場合には、アドレス設定部２０として説明する。接続コネクタ１０は、アドレス設定部２０を備えている。
【００２０】
アドレス設定部２０は、アドレス情報を設定し、当該アドレス情報を示す電気信号を、接続コネクタ１０を介して電源部１００に供給する。
【００２１】
複数の電源部１００は、入力が共通化されており、直流電源２から供給される入力電圧Ｖｉｎにより、それぞれが並列に動作する。また、複数の電源部１００は、出力が共通化されており、それぞれが出力電圧Ｖｏｕｔを出力する。
【００２２】
また、電源部１００は、接続コネクタ１０に着脱可能に構成されており、接続コネクタ１０に装着されることにより、上述したアドレス情報が、識別情報として割り当てられる。例えば、電源部１００−１には、アドレス情報“アドレス１”が割り付けられ、電源部１００−２には、アドレス情報“アドレス２”が割り付けられている。また、電源部１００は、テーブル情報記憶部３０と、起動制御部４０と、ＤＣ／ＤＣ変換部５０とを備えている。
【００２３】
なお、電源部１００−１が備えるテーブル情報記憶部３０を、テーブル情報記憶部３０−１とし、電源部１００−２が備えるテーブル情報記憶部３０を、テーブル情報記憶部３０−２とする。テーブル情報記憶部３０−１、テーブル情報記憶部３０−２、・・・は、同一の構成であり、電源装置１が備える任意のテーブル情報記憶部を示す場合、又は特に区別しない場合には、テーブル情報記憶部３０として説明する。
また、電源部１００−１が備える起動制御部４０を、起動制御部４０−１とし、電源部１００−２が備える起動制御部４０を、起動制御部４０−２とする。起動制御部４０−１、起動制御部４０−２、・・・は、同一の構成であり、電源装置１が備える任意の起動制御部を示す場合、又は特に区別しない場合には、起動制御部４０として説明する。
【００２４】
また、電源部１００−１が備えるＤＣ／ＤＣ変換部５０を、ＤＣ／ＤＣ変換部５０−１とし、電源部１００−２が備えるＤＣ／ＤＣ変換部５０を、ＤＣ／ＤＣ変換部５０−２とする。ＤＣ／ＤＣ変換部５０−１、ＤＣ／ＤＣ変換部５０−２、・・・は、同一の構成であり、電源装置１が備える任意のＤＣ／ＤＣ変換部を示す場合、又は特に区別しない場合には、ＤＣ／ＤＣ変換部５０として説明する。
【００２５】
テーブル情報記憶部３０は、複数の電源部１００のそれぞれに割り当てられた識別情報と、起動時刻が分散するように設定された遅延時間と、を対応付けた遅延テーブル情報を記憶する。ここで、図２を参照して、テーブル情報記憶部３０が記憶する遅延テーブル情報について説明する。
【００２６】
図２は、本実施形態による遅延テーブル情報の一例を示す図である。
図２に示すように、遅延テーブル情報には、「遅延時間」と、「アドレス情報」とが対応付けられている。「遅延時間」は、例えば、複数の電源部１００の起動時間が分散するように予め定められている。なお、図２に示す遅延テーブル情報は、電源部１００が６台である場合の一例を示している。
【００２７】
図２に示す例では、遅延テーブル情報は、「遅延時間」が“０”において、「アドレス情報」が“アドレス１”に割り当てられた電源部１００を起動し、「遅延時間」が“ｔ”において、「アドレス情報」が“アドレス２”に割り当てられた電源部１００を起動することを示している。また、遅延テーブル情報は、「遅延時間」が“２ｔ”において、「アドレス情報」が“アドレス３”に割り当てられた電源部１００を起動し、「遅延時間」が“３ｔ”において、「アドレス情報」が“アドレス４”に割り当てられた電源部１００を起動することを示している。また、遅延テーブル情報は、「遅延時間」が“４ｔ”において、「アドレス情報」が“アドレス５”に割り当てられた電源部１００を起動し、「遅延時間」が“５ｔ”において、「アドレス情報」が“アドレス６”に割り当てられた電源部１００を起動することを示している。
【００２８】
テーブル情報記憶部３０は、このように「遅延時間」と、「アドレス情報」とを対応付けた遅延テーブル情報を記憶している。なお、本実施形態では、テーブル情報記憶部３０−１、テーブル情報記憶部３０−２、・・・は、同一の遅延テーブル情報を記憶しているものとする。
【００２９】
ＤＣ／ＤＣ変換部５０（変換部の一例）は、直流電源２から供給された電圧（入力電圧Ｖｉｎ）を、出力電圧Ｖｏｕｔに変換するＤＣ／ＤＣコンバータである。ＤＣ／ＤＣ変換部５０は、起動制御部４０から供給される起動信号に応じて、動作を開始して起動する。
【００３０】
起動制御部４０は、例えば、ＣＰＵ（Central Processing Unit）などを含むプロセッサであり、電源装置１の起動などを制御する。起動制御部４０は、遅延テーブル情報に基づいて、識別情報（アドレス情報）が割り当てられた電源部１００に対して、当該識別情報（アドレス情報）に対応する遅延時間により遅延させて起動を開始させる。すなわち、起動制御部４０は、遅延テーブル情報に基づいて、当該起動制御部４０を備える電源部１００に割り当てられた識別情報に対応する遅延時間により遅延させて起動を開始させる。
【００３１】
具体的に、起動制御部４０は、アドレス設定部２０によって電源部１００に割り当てられたアドレス情報を取得する。さらに、起動制御部４０は、テーブル情報記憶部３０が記憶する遅延テーブル情報を取得し、遅延テーブル情報のうちから自身の電源部１００に割り当てられたアドレス情報に対応する遅延時刻によりＤＣ／ＤＣ変換部５０に起動信号を出力して、ＤＣ／ＤＣ変換部５０の起動を開始させる。ここで、自身の電源部１００とは、例えば、自身の起動制御部４０が備えられている電源部１００のことである。
【００３２】
例えば、電源部１００−１のアドレス情報が、“アドレス１”に割り当てられている場合に、電源部１００−１が備える起動制御部４０−１は、図２に示す遅延テーブル情報に基づいて、遅延時間の“０”経過後に、ＤＣ／ＤＣ変換部５０−１に起動信号を出力する。また、例えば、電源部１００−２のアドレス情報が、“アドレス２”に割り当てられている場合に、電源部１００−２が備える起動制御部４０−２は、図２に示す遅延テーブル情報に基づいて、遅延時間の“ｔ”経過後に、ＤＣ／ＤＣ変換部５０−２に起動信号を出力する。
【００３３】
次に、図面を参照して、本実施形態による電源装置１の動作について説明する。
図３は、本実施形態による電源装置１の動作の一例を示すフローチャートである。ここでは、本実施形態による電源装置１の起動処理について説明する。
【００３４】
図３に示すように、電源装置１の起動制御部４０は、まず、アドレス情報を取得する（ステップＳ１０１）。起動制御部４０は、アドレス設定部２０に設定されたアドレス情報を、自身の電源部１００が接続された接続コネクタ１０を介して取得する。すなわち、起動制御部４０は、自身の電源部１００に割り当てられたアドレス情報を取得する。
【００３５】
次に、起動制御部４０は、遅延テーブル情報からアドレス情報に対応する遅延時間を取得する（ステップＳ１０２）。起動制御部４０は、例えば、テーブル情報記憶部３０が記憶する遅延テーブル情報のうちから、自身の電源部１００に割り当てられたアドレス情報に対応する遅延時刻を取得する。起動制御部４０は、遅延時刻を取得後に、待機状態になる。
【００３６】
次に、起動制御部４０は、電源部１００の起動開始であるか否かを判定する（ステップＳ１０３）。起動制御部４０は、例えば、電源部１００の起動開始のトリガー信号を受信したか否かを判定する。起動制御部４０は、起動開始のトリガー信号を受信した場合（ステップＳ１０３：ＹＥＳ）に、待機状態を解除して遅延時間のカウントを開始し、処理をステップＳ１０４に進める。また、起動制御部４０は、起動開始のトリガー信号を受信していない場合（ステップＳ１０３：ＮＯ）に、待機状態を維持し、ステップＳ１０３の処理を繰り返す（起動開始のトリガー信号の受信を待つ）。
【００３７】
次に、起動制御部４０は、遅延時刻に達したか否かを判定する（ステップＳ１０４）。すなわち、起動制御部４０は、例えば、タイマー（不図示）などにより時間を計時して、取得した自身の電源部１００に割り当てられたアドレス情報に対応する遅延時刻に達したか否かを判定する。起動制御部４０は、遅延時刻に達した場合（ステップＳ１０４：ＹＥＳ）に、処理をステップＳ１０５に進める。また、起動制御部４０は、遅延時刻に達していない場合（ステップＳ１０４：ＮＯ）に、処理をステップＳ１０４に戻す。
【００３８】
ステップＳ１０５において、起動制御部４０は、電源部１００（起動制御部４０が備えられている電源部１００）を起動させる。起動制御部４０は、ＤＣ／ＤＣ変換部５０に起動信号を出力して、ＤＣ／ＤＣ変換部５０の動作を開始させて、電源部１００を起動させる。ステップＳ１０５の処理後に、起動制御部４０は、電源装置１の起動処理を終了する。
【００３９】
なお、本実施形態では、上述した電源装置１の起動処理は、複数の電源部１００のそれぞれが備える各起動制御部４０によって実行される。すなわち、本実施形態では、起動制御部４０−１、起動制御部４０−２、・・・のそれぞれが、上述した電源装置１の起動処理を実行する。
【００４０】
次に、電源部１００を同時に起動する従来の電源装置と、本実施形態による電源装置１とを比較して、本実施形態による電源装置１の動作及び効果を説明する図である。
図４は、本実施形態による電源装置１の動作及び効果を説明する図である。図４（ａ）は、電源部１００を同時に起動する従来の電源装置の動作を示している。また、図４（ｂ）は、本実施形態による電源装置１の動作を示している。なお、図４に示す例は、電源部１００が６台である場合の一例を示している。
【００４１】
図４（ａ）において、各グラフの縦軸は、上から順に、電源部１００（ＤＣ／ＤＣ変換部５０）の運転台数、起動電流、及び入力電圧Ｖｉｎを示し、横軸は、時間を示している。また、波形Ｗ１〜Ｗ３は、上から順に、電源部１００（ＤＣ／ＤＣ変換部５０）の運転台数の波形、起動電流の波形、及び入力電圧Ｖｉｎの波形を示している。ここで、起動電流（波形Ｗ２）、及び入力電圧Ｖｉｎ（波形Ｗ３）は、従来の電源装置の入力電流及び入力電圧Ｖｉｎを示している。
【００４２】
また、図４（ｂ）において、各グラフの縦軸は、上から順に、電源部１００（ＤＣ／ＤＣ変換部５０）の運転台数、起動電流、及び入力電圧Ｖｉｎを示し、横軸は、時間を示している。また、波形Ｗ４〜Ｗ６は、上から順に、電源部１００（ＤＣ／ＤＣ変換部５０）の運転台数の波形、起動電流の波形、及び入力電圧Ｖｉｎの波形を示している。ここで、起動電流（波形Ｗ５）、及び入力電圧Ｖｉｎ（波形Ｗ６）は、本実施形態の電源装置１の入力電流及び入力電圧Ｖｉｎを示している。
【００４３】
図４（ａ）に示すように、電源部１００を同時に起動する従来の電源装置では、６台の電源部１００が同時に起動するため（波形Ｗ１参照）、突入電流により起動電流が通常動作電流Ｉ１よりも大幅に上昇する（波形Ｗ２参照）。そのため、入力電圧Ｖｉｎが、起動時に入力電圧値Ｖ１から大幅に低下する（波形Ｗ３参照）。
【００４４】
これに対して、本実施形態による電源装置１では、図４（ｂ）に示すように、電源部１００が遅延テーブル情報に基づいて、起動時刻が分散される（波形Ｗ４参照）。そのため、本実施形態による電源装置１では、起動電流が各電源部１００の順次起動に応じて、徐々に上昇するため、急激な電流増加を抑えて通常動作電流Ｉ１となる（波形Ｗ５参照）。また、入力電圧Ｖｉｎが、電源部１００を同時に起動する従来の電源装置に比べて、起動時に入力電圧値Ｖ１から大幅に低下することはない（波形Ｗ６参照）。
このように、本実施形態による電源装置１は、電源部１００の起動時刻を分散させるため、電源部１００を同時に起動する従来の電源装置に比べて、起動電流を低減することができ、起動時における入力電圧Ｖｉｎの低下を低減することができる。
【００４５】
以上説明したように、本実施形態による電源装置１は、入力が共通化された複数の電源部１００と、起動制御部４０とを備える。起動制御部４０は、複数の電源部１００のそれぞれに割り当てられた識別情報と、起動時刻が分散するように設定された遅延時間と、を対応付けた遅延テーブル情報に基づいて、識別情報が割り当てられた電源部１００に対して、当該識別情報に対応する遅延時間により遅延させて起動を開始させる。
【００４６】
これにより、起動制御部４０が、遅延テーブル情報に基づいて、電源部１００を順次起動を開始させるため、本実施形態による電源装置１は、例えば、電源装置１が起動できない、又は電源装置１の起動に時間が掛かることなく、起動時の入力電流を低減することができる。よって、本実施形態による電源装置１は、適切に起動させつつ、起動時の入力電流を低減することができる。
また、本実施形態による電源装置１は、上述した図４（ｂ）に示すように、起動時の入力電流を低減することができるため、例えば、入力の配線インピーダンスが比較的大きい場合や、インダクタンス成分が大きい場合などであっても、入力電圧Ｖｉｎの低下を低減することができる。よって、本実施形態による電源装置１は、安定した出力電圧Ｖｏｕｔを出力することができる。
【００４７】
また、本実施形態では、複数の電源部１００のそれぞれは、起動制御部４０を備え、起動制御部４０は、遅延テーブル情報に基づいて、起動制御部４０を備える電源部１００に割り当てられた識別情報に対応する遅延時間により遅延させて起動を開始させる。
これにより、本実施形態による電源装置１は、各起動制御部４０により分散処理を行うことができ、電源部１００の外部に起動制御部を設けて、電源部１００の起動を集中管理する必要がない。
【００４８】
また、本実施形態による電源装置１は、電源部１００が接続される複数の接続コネクタ１０（接続部）を備える。複数の電源部１００のそれぞれは、接続コネクタ１０に着脱可能に構成されている。複数の接続コネクタ１０のそれぞれには、アドレス情報が割り当てられており、接続コネクタ１０は、電源部１００が接続された場合に、当該接続コネクタ１０に割り当てられているアドレス情報を示す電気信号を、識別情報として電源部１００に供給する。
【００４９】
これにより、本実施形態による電源装置１は、接続コネクタ１０に電源部１００を接続する簡易な手法により、電源部１００に識別情報（アドレス情報）を適切に割り当てることができる。また、本実施形態による電源装置１は、接続コネクタ１０に電源部１００を接続するだけで、電源部１００に自動的にアドレス情報を設定できるため、アドレス情報を設定する上での利便性を向上さえることができる。また、本実施形態による電源装置１は、例えば、電源部１００が故障した際に、容易に電源部１００を交換することができ、メンテナンス性（保守性）を向上させることができる。
【００５０】
また、本実施形態では、接続コネクタ１０は、アドレス情報を設定し、当該アドレス情報を示す電気信号を供給するアドレス設定部２０を備える。
これにより、本実施形態による電源装置１は、簡易な手法により、電源部１００に適切にアドレス情報を供給することができる。
【００５１】
［第２の実施形態］
次に、図面を参照して、第２の実施形態による電源装置１ａについて説明する。
上述した第１の実施形態では、複数の電源部１００のそれぞれが、起動制御部４０を備える一例を説明したが、本実施形態では、電源部１００の外部に、１つの起動制御部４０ａを備える場合の一例について説明する。
【００５２】
図５は、本実施形態による電源装置１ａの一例を示す機能ブロック図である。
図５に示すように、電源装置１ａは、複数の接続コネクタ（１０ａ−１、１０ａ−２、・・・）と、複数の電源部（１００ａ−１、１００ａ−２、・・・）と、起動制御部４０ａと、テーブル情報記憶部３０とを備えている。電源装置１ａは、直流電源２から供給される入力電圧Ｖｉｎを変換した出力電圧Ｖｏｕｔを出力する。
【００５３】
なお、接続コネクタ１０ａ−１、接続コネクタ１０ａ−２、・・・は、同一の構成であり、電源装置１ａが備える任意の接続コネクタを示す場合、又は特に区別しない場合には、接続コネクタ１０ａとして説明する。
また、電源部１００ａ−１、電源部１００ａ−２、・・・は、同一の構成であり、電源装置１ａが備える任意の電源部を示す場合、又は特に区別しない場合には、電源部１００ａとして説明する。
【００５４】
なお、図５において、上述した図１に示す構成と同一の構成には、同一の符号を付与してその説明を省略する。
【００５５】
接続コネクタ１０ａ（接続部の一例）は、例えば、電源部１００ａの基板を装着するスロットに備えられたコネクタであり、電源部１００ａが接続される。接続コネクタ１０ａは、接続された電源部１００ａに、直流電源２から供給された入力電圧Ｖｉｎを供給する。接続コネクタ１０ａは、アドレス設定部２０を備えない点を除いて、上述した第１の実施形態の接続コネクタ１０と同様である。
【００５６】
複数の電源部１００ａは、入力が共通化されており、直流電源２から供給される入力電圧Ｖｉｎにより、それぞれが並列に動作する。また、複数の電源部１００ａは、出力が共通化されており、それぞれが出力電圧Ｖｏｕｔを出力する。
【００５７】
また、電源部１００ａは、接続コネクタ１０ａに着脱可能に構成されており、ＤＣ／ＤＣ変換部５０を備えている。なお、電源部１００ａは、起動制御部４０及びテーブル情報記憶部３０を備えない点を除いて、上述した第１の実施形態の電源部１００と同様である。なお、電源部１００ａには、後述する起動制御部４０ａによって、予めアドレス情報が割り当てられているものとする。
【００５８】
本実施形態におけるテーブル情報記憶部３０は、複数の電源部１００ａに対して、電源部１００ａの外部に１つ備えられている点を除いて、上述した第１の実施形態と同様である。テーブル情報記憶部３０が記憶する遅延テーブル情報は、図２に示す第１の実施形態と同様である。
【００５９】
起動制御部４０ａは、例えば、ＣＰＵなどを含むプロセッサであり、電源装置１ａの起動などを制御する。起動制御部４０ａは、複数の電源部１００ａに対して１つ備えられている。起動制御部４０ａは、遅延テーブル情報に基づいて、複数の電源部１００ａに対して順次起動を開始させる。
具体的に、起動制御部４０ａは、テーブル情報記憶部３０が記憶する遅延テーブル情報を取得する。起動制御部４０ａは、遅延テーブル情報に基づいて、遅延時間に達した場合に、当該遅延時間に対応するアドレス情報が割り当てられている電源部１００ａのＤＣ／ＤＣ変換部５０に起動信号を出力して、ＤＣ／ＤＣ変換部５０の起動を開始させる。起動制御部４０ａは、この処理を繰り返すことにより、複数の電源部１００ａに対して順次起動を行う。なお、起動制御部４０ａは、ＤＣ／ＤＣ変換部５０に起動信号を出力する際に、接続コネクタ１０ａを経由してＤＣ／ＤＣ変換部５０に起動信号を出力してもよいし、他の通信手段（例えば、無線通信など）を利用して、ＤＣ／ＤＣ変換部５０に起動信号を出力してもよい。
【００６０】
例えば、電源部１００ａ−１のアドレス情報が、“アドレス１”に割り当てられている場合に、起動制御部４０ａは、図２に示す遅延テーブル情報に基づいて、遅延時間の“０”経過後に、電源部１００ａ−１のＤＣ／ＤＣ変換部５０−１に起動信号を出力する。また、例えば、電源部１００ａ−２のアドレス情報が、“アドレス２”に割り当てられている場合に、起動制御部４０ａは、図２に示す遅延テーブル情報に基づいて、遅延時間の“ｔ”経過後に、電源部１００ａ−２のＤＣ／ＤＣ変換部５０−２に起動信号を出力する。
【００６１】
次に、図面を参照して、本実施形態による電源装置１ａの動作について説明する。
図６は、本実施形態による電源装置１ａの動作の一例を示すフローチャートである。ここでは、本実施形態による電源装置１ａの起動処理について説明する。
【００６２】
図６に示すように、電源装置１ａの起動制御部４０ａは、まず、遅延テーブル情報を取得する（ステップＳ２０１）。起動制御部４０ａは、テーブル情報記憶部３０から遅延テーブル情報を取得する。起動制御部４０ａは、遅延テーブル情報を取得後に、待機状態になる。
【００６３】
次に、起動制御部４０ａは、電源部１００ａの起動開始であるか否かを判定する（ステップＳ２０２）。起動制御部４０ａは、例えば、電源部１００ａの起動開始のトリガー信号を受信したか否かを判定する。起動制御部４０ａは、起動開始のトリガー信号を受信した場合（ステップＳ２０２：ＹＥＳ）に、待機状態を解除して遅延時間のカウントを開始し、処理をステップＳ２０３に進める。また、起動制御部４０ａは、起動開始のトリガー信号を受信していない場合（ステップＳ２０２：ＮＯ）に、待機状態を維持し、ステップＳ２０２の処理を繰り返す（起動開始のトリガー信号の受信を待つ）。
【００６４】
次に、起動制御部４０ａは、遅延テーブル情報に存在する遅延時間に達したか否かを判定する（ステップＳ２０３）。起動制御部４０ａは、取得した遅延テーブル情報に含まれる遅延時間に達したか否かを判定する。起動制御部４０ａは、遅延時間に達した場合（ステップＳ２０３：ＹＥＳ）に、処理をステップＳ２０４に進める。また、起動制御部４０ａは、遅延時間に達していない場合（ステップＳ２０３：ＮＯ）に、処理をステップＳ２０３に戻す。
【００６５】
ステップＳ２０４において、起動制御部４０ａは、遅延時間に対応する電源部１００ａを起動させる。起動制御部４０ａは、遅延テーブル情報において、達した遅延時間に対応付けられているアドレス情報が割り当てられている電源部１００ａの起動を開始させる。具体的に、起動制御部４０ａは、アドレス情報が割り当てられている電源部１００ａのＤＣ／ＤＣ変換部５０に起動信号を出力して、ＤＣ／ＤＣ変換部５０の動作を開始させて、電源部１００ａを起動させる。
【００６６】
次に、起動制御部４０ａは、遅延テーブル情報の全ての電源部１００ａを起動したか否かを判定する（ステップＳ２０５）。起動制御部４０ａは、全ての電源部１００ａを起動した場合（ステップＳ２０５：ＹＥＳ）に、電源装置１ａの起動処理を終了する。また、起動制御部４０ａは、全ての電源部１００ａを起動していない場合（ステップＳ２０５：ＮＯ）に、処理をステップＳ２０３に戻して、次の遅延時間に達するのを待たせる。
【００６７】
このように、本実施形態では、複数の電源部１００ａに対して１つの起動制御部４０ａが、遅延テーブル情報に基づいて、電源部１００ａを順次起動させる。
また、本実施形態の電源装置１ａの起動電流の波形、及び入力電圧Ｖｉｎの波形は、上述した図４（ｂ）に示す第１の実施形態の動作と同様であるため、ここではその説明を省略する。
【００６８】
以上説明したように、本実施形態による電源装置１ａは、入力が共通化された複数の電源部１００ａと、起動制御部４０ａとを備える。起動制御部４０ａは、複数の電源部１００ａのそれぞれに割り当てられた識別情報と、起動時刻が分散するように設定された遅延時間と、を対応付けた遅延テーブル情報に基づいて、識別情報が割り当てられた電源部１００ａに対して、当該識別情報に対応する遅延時間により遅延させて起動を開始させる。
これにより、本実施形態による電源装置１ａは、第１の実施形態と同様の効果を奏し、適切に起動させつつ、起動時の入力電流を低減することができる。
【００６９】
また、本実施形態による電源装置１ａは、複数の電源部１００ａに対して１つの起動制御部４０ａを備えている。起動制御部４０ａは、遅延テーブル情報に基づいて、複数の電源部１００ａに対して順次起動を開始させる。
これにより、本実施形態による電源装置１ａは、複数の電源部１００ａの起動を集中管理して、適切に起動させつつ、起動時の入力電流を低減することができる。また、本実施形態による電源装置１ａでは、複数の電源部１００ａのそれぞれに対して、割り当てられたアドレス情報を供給する必要がなく、電源部１００ａの構成を簡略化することができる。
【００７０】
［第３の実施形態］
次に、図面を参照して、第３の実施形態による電源装置１ｂについて説明する。
上述した第１の実施形態では、電源部１００の起動の一例として、ＤＣ／ＤＣ変換部５０を起動する例を説明したが、本実施形態では、電源部１００の起動の別の一例として、電源部１００が備える昇圧部６０を起動する場合について説明する。
【００７１】
図７は、本実施形態による電源装置１ｂの一例を示す機能ブロック図である。
図７に示すように、電源装置１ｂは、複数の接続コネクタ（１０−１、１０−２、・・・）と、複数の電源部（１００ｂ−１、１００ｂ−２、・・・）とを備えている。電源装置１ｂは、直流電源２から供給される入力電圧Ｖｉｎを変換した出力電圧Ｖｏｕｔを出力する。
【００７２】
なお、図７において、上述した図１に示す構成と同一の構成には、同一の符号を付与してその説明を省略する。
また、電源部１００ｂ−１、電源部１００ｂ−２、・・・は、同一の構成であり、電源装置１ｂが備える任意の電源部を示す場合、又は特に区別しない場合には、電源部１００ｂとして説明する。
【００７３】
複数の電源部１００ｂは、入力が共通化されており、直流電源２から供給される入力電圧Ｖｉｎにより、それぞれが並列に動作する。また、複数の電源部１００ｂは、出力が共通化されており、それぞれが出力電圧Ｖｏｕｔを出力する。
【００７４】
また、電源部１００ｂは、接続コネクタ１０に対して着脱可能に構成されており、接続コネクタ１０に装着されることにより、アドレス情報が、識別情報として割り当てられる。例えば、電源部１００ｂ−１には、アドレス情報“アドレス１”が割り付けられ、電源部１００ｂ−２には、アドレス情報“アドレス２”が割り付けられている。また、電源部１００ｂは、テーブル情報記憶部３０と、起動制御部４０ｂと、昇圧部６０と、ＤＣ／ＤＣ変換部５０ａとを備えている。
【００７５】
なお、電源部１００ｂ−１が備える起動制御部４０ｂを、起動制御部４０ｂ−１とし、電源部１００ｂ−２が備える起動制御部４０ｂを、起動制御部４０ｂ−２とする。起動制御部４０ｂ−１、起動制御部４０ｂ−２、・・・は、同一の構成であり、電源装置１ｂが備える任意の起動制御部を示す場合、又は特に区別しない場合には、起動制御部４０ｂとして説明する。
また、電源部１００ｂ−１が備える昇圧部６０を、昇圧部６０−１とし、電源部１００ｂ−２が備える昇圧部６０を、昇圧部６０−２とする。昇圧部６０−１、昇圧部６０−２、・・・は、同一の構成であり、電源装置１ｂが備える任意の昇圧部を示す場合、又は特に区別しない場合には、昇圧部６０として説明する。
【００７６】
また、電源部１００ｂ−１が備えるＤＣ／ＤＣ変換部５０ａを、ＤＣ／ＤＣ変換部５０ａ−１とし、電源部１００ｂ−２が備えるＤＣ／ＤＣ変換部５０ａを、ＤＣ／ＤＣ変換部５０ａ−２とする。ＤＣ／ＤＣ変換部５０ａ−１、ＤＣ／ＤＣ変換部５０ａ−２、・・・は、同一の構成であり、電源装置１ｂが備える任意のＤＣ／ＤＣ変換部を示す場合、又は特に区別しない場合には、ＤＣ／ＤＣ変換部５０ａとして説明する。
【００７７】
昇圧部６０は、入力された直流電圧（入力電圧Ｖｉｎ）を昇圧する昇圧回路である。昇圧部６０は、例えば、入力電圧Ｖｉｎが所定の閾値以下に低下するなどの起動条件を満たした場合に、後述する起動制御部４０ｂによって起動される。なお、昇圧部６０は、起動制御部４０ｂから供給される起動信号に応じて、動作を開始して起動する。また、昇圧部６０は、例えば、入力電圧Ｖｉｎが所定の閾値より高くなるなどの停止条件を満たした場合に、後述する起動制御部４０ｂによって停止される。ここで、図８を参照して、昇圧部６０の構成例について説明する。なお、昇圧部６０に入力電圧Ｖｉｎを供給する電源供給線を、入力電圧供給線Ｌ１と、ＧＮＤ線Ｌ２とし、昇圧された電圧の出力線を昇圧出力線Ｌ３とする。
【００７８】
図８は、本実施形態における昇圧部６０の構成例を示す図である。
図８に示すように、昇圧部６０は、チョークコイル（昇圧インダクタ）６１と、トランジスタ６２と、ダイオード（６３、６４）と、コンデンサ６５と、駆動信号生成部６６とを備えている。
【００７９】
チョークコイル６１は、第１端が入力電圧供給線Ｌ１に、第２端がダイオード６４のアノード端子（ノードＮ１）に、それぞれ接続されている。
トランジスタ６２は、例えば、ｎチャネル型電界効果トランジスタであり、ドレイン端子がノードＮ１に、ゲート端子が駆動信号生成部６６の出力信号線に、ソース端子がＧＮＤ線Ｌ２に、それぞれ接続されている。
【００８０】
ダイオード６３は、アノード端子が入力電圧供給線Ｌ１に、カソード端子が昇圧出力線Ｌ３に、それぞれ接続されている。ダイオード６３は、昇圧部６０が動作していない場合（起動していない場合）に、入力電圧Ｖｉｎを昇圧出力線Ｌ３に出力する。
ダイオード６４は、アノード端子がノードＮ１に、カソード端子が昇圧出力線Ｌ３に、それぞれ接続されている。ダイオード６４は、昇圧部６０が動作している場合（起動している場合）に、昇圧部６０によって昇圧された電圧を昇圧出力線Ｌ３に出力する。
【００８１】
コンデンサ６５は、例えば、平滑コンデンサであり、第１端が昇圧出力線Ｌ３に、第２端がＧＮＤ線Ｌ２に、それぞれ接続されている。コンデンサ６５は、チョークコイル６１及びトランジスタ６２によって昇圧された電圧を平滑化する。
駆動信号生成部６６は、トランジスタ６２を駆動する駆動信号（発振信号）を生成する。駆動信号生成部６６は、起動制御部４０ｂから供給される起動信号に基づいて、駆動信号の出力開始、及び駆動信号の出力停止の制御が行われる。
【００８２】
ＤＣ／ＤＣ変換部５０ａ（変換部の一例）は、昇圧部６０が昇圧した昇圧電圧と、入力電圧Ｖｉｎとのいずれかを出力電圧Ｖｏｕｔ（所定の出力電圧）に変換するＤＣ／ＤＣコンバータである。
【００８３】
起動制御部４０ｂは、例えば、ＣＰＵなどを含むプロセッサであり、電源装置１ｂの起動などを制御する。起動制御部４０ｂは、遅延テーブル情報に基づいて、識別情報（アドレス情報）が割り当てられた電源部１００ｂに対して、当該識別情報（アドレス情報）に対応する遅延時間により遅延させて起動を開始させる。起動制御部４０ｂは、例えば、入力電圧Ｖｉｎが所定の閾値以下に低下するなどの昇圧部６０の起動条件を満たした場合に、遅延テーブル情報に基づいて、識別情報が割り当てられた電源部１００ｂが備える昇圧部６０を起動する。すなわち、起動制御部４０ｂは、昇圧部６０を起動する場合に、当該起動制御部４０ｂを備える電源部１００ｂが備えている昇圧部６０を、当該起動制御部４０ｂを備える電源部１００ｂに割り当てられた識別情報に対応する遅延時間により遅延させて起動を開始させる。
【００８４】
具体的に、起動制御部４０ｂは、アドレス設定部２０によって電源部１００ｂに割り当てられたアドレス情報を取得する。さらに、起動制御部４０ｂは、テーブル情報記憶部３０が記憶する遅延テーブル情報を取得し、遅延テーブル情報のうちから自身の電源部１００ｂに割り当てられたアドレス情報に対応する遅延時刻により昇圧部６０に起動信号を出力して、昇圧部６０の起動を開始させる。ここで、自身の電源部１００ｂとは、例えば、自身の起動制御部４０ｂが備えられている電源部１００ｂのことである。
【００８５】
例えば、電源部１００ｂ−１のアドレス情報が、“アドレス１”に割り当てられている場合に、電源部１００ｂ−１が備える起動制御部４０ｂ−１は、図２に示す遅延テーブル情報に基づいて、遅延時間の“０”経過後に、昇圧部６０−１に起動信号を出力する。また、例えば、電源部１００ｂ−２のアドレス情報が、“アドレス２”に割り当てられている場合に、電源部１００ｂ−２が備える起動制御部４０ｂ−２は、図２に示す遅延テーブル情報に基づいて、遅延時間の“ｔ”経過後に、昇圧部６０−２に起動信号を出力する。
【００８６】
次に、図面を参照して、本実施形態による電源装置１ｂの動作について説明する。
図９は、本実施形態による電源装置１ｂの動作の一例を示すフローチャートである。ここでは、本実施形態による電源装置１ｂの昇圧部６０の起動処理について説明する。
【００８７】
図９に示すように、電源装置１ｂの起動制御部４０ｂは、まず、アドレス情報を取得する（ステップＳ３０１）。起動制御部４０ｂは、アドレス設定部２０に設定されたアドレス情報を、自身の電源部１００ｂが接続された接続コネクタ１０を介して取得する。すなわち、起動制御部４０ｂは、自身の電源部１００ｂに割り当てられたアドレス情報を取得する。
【００８８】
次に、起動制御部４０ｂは、遅延テーブル情報からアドレス情報に対応する遅延時間を取得する（ステップＳ３０２）。起動制御部４０ｂは、例えば、テーブル情報記憶部３０が記憶する遅延テーブル情報のうちから、自身の電源部１００ｂに割り当てられたアドレス情報に対応する遅延時刻を取得する。起動制御部４０は、遅延時刻を取得後に、待機状態になる。
【００８９】
次に、起動制御部４０ｂは、昇圧開始であるか否かを判定する（ステップＳ３０３）。起動制御部４０ｂは、入力電圧Ｖｉｎが所定の閾値以下に低下したなどの昇圧部６０の起動条件を満たしたか否かを判定したトリガー信号を受信する。起動制御部４０ｂは、昇圧開始である場合（ステップＳ３０３：ＹＥＳ）に、待機状態を解除して遅延時間のカウントを開始し、処理をステップＳ３０４に進める。また、起動制御部４０ｂは、昇圧開始でない場合（ステップＳ３０３：ＮＯ）に、処理をステップＳ３０３に戻す。
【００９０】
次に、起動制御部４０ｂは、遅延時刻に達したか否かを判定する（ステップＳ３０４）。すなわち、起動制御部４０ｂは、例えば、タイマー（不図示）などにより時間を計時して、取得した自身の電源部１００ｂに割り当てられたアドレス情報に対応する遅延時刻に達したか否かを判定する。起動制御部４０ｂは、遅延時刻に達した場合（ステップＳ３０４：ＹＥＳ）に、処理をステップＳ３０５に進める。また、起動制御部４０ｂは、遅延時刻に達していない場合（ステップＳ３０４：ＮＯ）に、処理をステップＳ３０４に戻す。
【００９１】
ステップＳ３０５において、起動制御部４０ｂは、（自身の電源部１００ｂが備えている）昇圧部６０を起動させる。起動制御部４０ｂは、昇圧部６０に起動信号を出力して、昇圧部６０の動作を開始させて、昇圧部６０を起動させる。ステップＳ３０５の処理後に、起動制御部４０ｂは、昇圧部６０の起動処理を終了する。
【００９２】
なお、本実施形態では、上述した電源装置１ｂの昇圧部６０の起動処理は、複数の電源部１００ｂのそれぞれが備える各起動制御部４０ｂによって実行される。すなわち、本実施形態では、例えば、起動制御部４０ｂ−１が、昇圧部６０−１の起動処理を実行し、起動制御部４０ｂ−２が、昇圧部６０−２の起動処理を実行する。
【００９３】
次に、昇圧部６０を同時に起動する従来の電源装置と、本実施形態による電源装置１ｂとを比較して、本実施形態による電源装置１ｂの動作及び効果を説明する図である。
図１０は、本実施形態による電源装置１ｂの動作及び効果を説明する図である。図１０（ａ）は、昇圧部６０を同時に起動する従来の電源装置の動作を示している。また、図１０（ｂ）は、本実施形態による電源装置１ｂの動作を示している。なお、図１０に示す例は、電源部１００ｂが６台である場合の一例を示している。
【００９４】
図１０（ａ）において、各グラフの縦軸は、上から順に、昇圧部６０の運転台数、起動電流、及び入力電圧Ｖｉｎを示し、横軸は、時間を示している。また、波形Ｗ１１〜Ｗ１３は、上から順に、昇圧部６０の運転台数の波形、起動電流の波形、及び入力電圧Ｖｉｎの波形を示している。ここで、起動電流（波形Ｗ１２）、及び入力電圧Ｖｉｎ（波形Ｗ１３）は、従来の電源装置の入力電流及び入力電圧Ｖｉｎを示している。
【００９５】
また、図１０（ｂ）において、各グラフの縦軸は、上から順に、昇圧部６０の運転台数、起動電流、及び入力電圧Ｖｉｎを示し、横軸は、時間を示している。また、波形Ｗ１４〜Ｗ１６は、上から順に、昇圧部６０の運転台数の波形、起動電流の波形、及び入力電圧Ｖｉｎの波形を示している。ここで、起動電流（波形Ｗ１５）、及び入力電圧Ｖｉｎ（波形Ｗ１６）は、本実施形態の電源装置１ｂの入力電流及び入力電圧Ｖｉｎを示している。
【００９６】
図１０（ａ）に示すように、昇圧部６０を同時に起動する従来の電源装置では、６台の昇圧部６０が同時に起動するため（波形Ｗ１１参照）、突入電流により起動電流が通常動作電流Ｉ１よりも大幅に上昇する（波形Ｗ１２参照）。そのため、入力電圧Ｖｉｎが、起動時に入力電圧値Ｖ１から大幅に低下する（波形Ｗ１３参照）。
【００９７】
これに対して、本実施形態による電源装置１ｂでは、図１０（ｂ）に示すように、昇圧部６０が遅延テーブル情報に基づいて、起動時刻が分散される（波形Ｗ１４参照）。そのため、本実施形態による電源装置１ｂでは、起動電流が各昇圧部６０の順次起動に応じて、徐々に上昇するため、図１０（ａ）に示す昇圧部６０を同時に起動する従来の電源装置に比べて、起動電流を低減することができる（波形Ｗ１５参照）。また、入力電圧Ｖｉｎが、昇圧部６０を同時に起動する従来の電源装置に比べて、起動時に入力電圧値Ｖ１から大幅に低下することはない（波形Ｗ１６参照）。
このように、本実施形態による電源装置１ｂは、昇圧部６０の起動時刻を分散させるため、昇圧部６０を同時に起動する従来の電源装置に比べて、起動電流を低減することができ、起動時における入力電圧Ｖｉｎの低下を低減することができる。
【００９８】
以上説明したように、本実施形態による電源装置１ｂは、入力が共通化された複数の電源部１００ｂと、起動制御部４０ｂとを備える。起動制御部４０ｂは、複数の電源部１００ｂのそれぞれに割り当てられた識別情報と、起動時刻が分散するように設定された遅延時間と、を対応付けた遅延テーブル情報に基づいて、識別情報が割り当てられた電源部１００ｂ（昇圧部６０）に対して、当該識別情報に対応する遅延時間により遅延させて起動を開始させる。
これにより、本実施形態による電源装置１ｂは、第１の実施形態と同様の効果を奏し、適切に起動させつつ、起動時の入力電流を低減することができる。
【００９９】
また、本実施形態では、電源部１００ｂは、入力された直流電圧を昇圧する昇圧部６０と、昇圧部６０が昇圧した昇圧電圧と、直流電圧とのいずれかを所定の出力電圧に変換するＤＣ／ＤＣ変換部５０ａ（変換部）とを備える。起動制御部４０ｂは、遅延テーブル情報に基づいて、識別情報が割り当てられた電源部１００ｂが備える昇圧部６０を起動する。
これにより、本実施形態による電源装置１ｂは、適切に昇圧部６０を起動させつつ、起動時の入力電流を低減することができる。
【０１００】
なお、本発明は、上記の各実施形態に限定されるものではなく、本発明の趣旨を逸脱しない範囲で変更可能である。
例えば、上記の各実施形態において、遅延テーブル情報は、１つの遅延時間に、１つのアドレス情報を対応付ける例を説明したが、１つの遅延時間に複数のアドレス情報を対応付けるようにしてもよい。例えば、電源装置１（１ａ、１ｂ）が、１２台の電源部１００（１００ａ、１００ｂ）を備える場合に、６種類の遅延時間のそれぞれに対して、２台ずつの電源部１００（１００ａ、１００ｂ）を対応付けてもよい。
【０１０１】
また、遅延テーブル情報は、電源装置１（１ａ、１ｂ）が搭載している電源部１００（１００ａ、１００ｂ）の台数や構成に応じて、変更できるようにしてもよい。こうすることで、電源装置１（１ａ、１ｂ）は、構成に応じて、起動の順番及び遅延時間を設定変更できるため、構成に応じて柔軟に対応することができる。
【０１０２】
また、上記の各実施形態において、電源部１００（１００ａ、１００ｂ）は、ＤＣ／ＤＣ変換部５０（５０ａ）を備える例を説明したが、交流電圧を直流電圧に変換するＡＣ／ＤＣ変換部やその他の電源部を備えるようにしてもよい。また、電源部１００（１００ａ、１００ｂ）は、直流電源２から電圧が供給される例を説明したが、直流電源２の代わりに、交流電源、又は商用電源などから交流電圧が供給されるようにしてもよい。
【０１０３】
また、上記の第１及び第３の実施形態において、接続コネクタ１０が備えるアドレス設定部２０により、アドレス情報を設定する例を説明したが、これに限定されるものではない。電源部１００（１００ｂ）が、ディップスイッチや設定記憶部などによりアドレス情報を設定するアドレス設定部を備えるようにしてもよい。また、設定記憶部によりアドレス設定部を実現する場合には、電源部１００（１００ｂ）の外部からの通信によって、アドレス情報が設定、及び変更されるようにしてもよい。
【０１０４】
また、上記の第２の実施形態において、アドレス設定部２０を備えない例を説明しているが、これに限定されるものではなく、第１及び第３の実施形態と同様のアドレス設定部２０を有する接続コネクタ１０を備え、アドレス設定部２０によりアドレス情報を設定するようにしてもよい。
また、上記の第２の実施形態において、アドレス情報が電源部１００ａに予め割り当てられている例を説明したが、電源部１００ａ又は電源装置１ａが、上述したディップスイッチや設定記憶部などによりアドレス情報を設定するアドレス設定部を備えるようにしてもよい。
また、上記の第２の実施形態は、第１の実施形態に対して適用する例を説明したが、第２の実施形態に対して適用してもよい。すなわち、電源部１００ａが、昇圧部６０を備えて、起動制御部４０ａは、複数の電源部１００ａが備える各昇圧部６０を順次起動するように制御してもよい。
【０１０５】
また、上記の第３の実施形態において、ＤＣ／ＤＣ変換部５０ａが自動で動作を開始する例を説明したが、第１の実施形態と同様に、遅延テーブル情報に基づいて、順次起動させるようにしてもよい。
【０１０６】
なお、上述の電源装置１（１ａ、１ｂ）の起動制御部４０（４０ａ、４０ｂ）は内部に、コンピュータシステムを有している。そして、上述した起動制御部４０（４０ａ、４０ｂ）による処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【０１０７】
また、上述した起動制御部４０（４０ａ、４０ｂ）が備える機能の一部又は全部を、ＬＳＩ（Ｌａｒｇｅ  Ｓｃａｌｅ  Ｉｎｔｅｇｒａｔｉｏｎ）等の集積回路として実現してもよい。上述した各機能は個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【符号の説明】
【０１０８】
１、１ａ、１ｂ  電源装置
２  直流電源
１０、１０−１、１０−２、１０ａ、１０ａ−１、１０ａ−２  接続コネクタ
２０、２０−１、２０−２  アドレス設定部
３０、３０−１、３０−２  テーブル情報記憶部
４０、４０−１、４０−２、４０ａ、４０ｂ、４０ｂ−１、４０ｂ−２  起動制御部
５０、５０−１、５０−２、５０ａ、５０ａ−１、５０ａ−２  ＤＣ／ＤＣ変換部
６０、６０−１、６０−２  昇圧部
６１  チョークコイル
６２  トランジスタ
６３、６４  ダイオード
６５  コンデンサ
６６  駆動信号生成部
１００、１００−１、１００−２、１００ａ、１００ａ−１、１００ａ−２、１００ｂ、１００ｂ−１、１００ｂ−２  電源部
【図１】
2019075931.tif 000003
【図２】
2019075931.tif 000004
【図３】
2019075931.tif 000005
【図４】
2019075931.tif 000006
【図５】
2019075931.tif 000007
【図６】
2019075931.tif 000008
【図７】
2019075931.tif 000009
【図８】
2019075931.tif 000010
【図９】
2019075931.tif 000011
【図１０】
2019075931.tif 000012